(57)【要約】【課題】  断続的に掲示を必要する掲示物の場合、片づけ及び再度の掲示を繰り返して行う必要がなく、しかも掲示のために画鋲等の専用品を必要としないロールカーテン型掲示板とする。【解決手段】  巻き取りローラ１１０と、この巻き取りローラ１１０の巻き取り軸１１１に連結された掲示用シート１２０とを備えており、前記掲示用シート１２０は、巻き取りローラ１１０に巻き取られた際に内側となる内側面１２１Ａに再剥離性粘着材１２２が塗布されている。【選択図】      図１
2009192888.tif 000002
【特許請求の範囲】
【請求項１】
巻き取りローラと、この巻き取りローラの巻き取り軸に連結された掲示用シートとを具備しており、前記掲示用シートは、巻き取りローラに巻き取られた際に内側となる面に再剥離性粘着材が塗布されていることを特徴とするロールカーテン型掲示板。
【請求項２】
前記掲示用シートは、複数枚のシート材を剥離可能に積層し、かつ巻き取りローラに巻き取られた際に内側となる面にのみ再剥離性粘着材が塗布されたことを特徴とする請求項１記載のロールカーテン型掲示板。
【請求項３】
請求項１又は２記載の掲示用シートの再剥離性粘着材は、スポット状或いはゼブラ状に塗布されていることを特徴とするロールカーテン型掲示板。
【請求項４】
前記掲示用シートの再剥離性粘着材が塗布されていない面は、再剥離性粘着材に対する耐性を有することを特徴とする請求項１、２又は３記載のロールカーテン型掲示板。
【発明の詳細な説明】
【技術分野】
【０００１】
本発明は、ロールカーテンのように不要時には掲示物が見えないように巻き取ることができるロールカーテン型掲示板に関する。
【背景技術】
【０００２】
ポスター等の掲示物を掲示するものとしては、コルクボードと称されるものがある。このコルクボードは、画鋲、粘着テープ、接着剤等で掲示物を貼り付けるものである。
また、磁石を用いることができるタイプのものもあるし、特開２００５−２７４６６０に示されるように画鋲も磁石も用いることができるものもある。
【０００３】
【特許文献１】特開２００５−２７４６６０
【発明の開示】
【発明が解決しようとする課題】
【０００４】
掲示板では、掲示の必要がなくなった場合に掲示物を取り外したり、掲示板自体を片づける必要がある。これは、継続的ではなく断続的に掲示を必要する掲示物の場合、片づけ及び再度の掲示を繰り返して行う必要があり、非常に手間がかかる。
また、掲示物の掲示のために画鋲等の専用品が必要となる。
【０００５】
本発明は、上記事情に鑑みて創案されたもので、断続的に掲示を必要する掲示物の場合、片づけ及び再度の掲示を繰り返して行う必要がなく、しかも掲示のために画鋲等の専用品を必要としないロールカーテン型掲示板を提供することを目的としている。
【課題を解決するための手段】
【０００６】
本発明に係るロールカーテン型掲示板は、巻き取りローラと、この巻き取りローラの巻き取り軸に連結された掲示用シートとを備えており、前記掲示用シートは、巻き取りローラに巻き取られた際に内側となる面に再剥離性粘着材が塗布されている。
【０００７】
前記掲示用シートは、複数枚のシート材を剥離可能に積層し、かつ巻き取りローラに巻き取られた際に内側となる面にのみ再剥離性粘着材が塗布されている。
【０００８】
前記掲示用シートの再剥離性粘着材は、スポット状或いはゼブラ状に塗布されている。
【０００９】
前記掲示用シートの再剥離性粘着材が塗布されていない面は、再剥離性粘着材に対する耐性を有している。
【発明の効果】
【００１０】
本発明に係るロールカーテン型掲示板は  巻き取りローラと、この巻き取りローラの巻き取り軸に連結された掲示用シートとを備えており、記掲示用シートは、巻き取りローラに巻き取られた際に内側となる面に再剥離性粘着材が塗布されているので、断続的に掲示を必要する掲示物の場合、巻き取りローラを巻き取るだけで簡単に片づけることができ、再度  巻き取りローラを引っ張りだすだけで再度の掲示を簡単に行うことができる。しかも、掲示のために画鋲等の専用品を必要としない。
【発明を実施するための最良の形態】
【００１１】
図１は本発明の実施の形態に係るロールカーテン型掲示板の概略的正面図、図２は本発明の実施の形態に係るロールカーテン型掲示板の概略的側面図、図３は本発明の実施の形態に係るロールカーテン型掲示板の掲示用シートの概略的拡大断面図、図４は本発明の他の実施の形態に係るロールカーテン型掲示板の掲示用シートの概略的拡大断面図である。
【００１２】
本発明の実施の形態に係るロールカーテン型掲示板１００は、巻き取りローラ１１０と、この巻き取りローラ１１０の巻き取り軸１１１に連結された掲示用シート１２０とを備えており、前記掲示用シート１２０は、巻き取りローラ１１０に巻き取られた際に内側となる面（以下、『内側面１２１Ａ』とする）に再剥離性粘着材１２２が塗布されている。
【００１３】
前記巻き取りローラ１１０は、通常のロールカーテンに用いられいてるものと同等のものであって、巻き取り軸１１１と、この巻き取り軸１１１が回転可能に支持する支持具１１２と、前記巻き取り軸１１１を巻き取り方向に付勢する弾性体（図示省略）と、巻き取り軸１１１に連結された掲示用シート１２０が引き出された状態を維持するために前記弾性体の付勢を阻止するストッパ（図示省略）とを有している。
【００１４】
前記支持具１１２は、図１に示すように、取付部１１２Ａと、この取付部１１２Ａの両端から略直交方向に延設された支持部１１２Ｂとを有しており、全体として横長の下向き凹字形状に形成されている。前記取付部１１２Ａは、ロールカーテン型掲示板１００を天井面Ｔ等に取り付けるためのビス（図示省略）が貫通する複数個のビス穴（図示省略）が開設されている。また、前記支持部１１２Ｂは、巻き取り軸１１１を回転可能に支持するものであり、巻き取り軸１１１を支持する軸部（図示省略）が内側向きに突設されている。
【００１５】
なお、この支持具１１２を天井面Ｔ等に取り付けるのは、ビスのみならず、接着剤や両面接着テープ等の他の適宜な手段であってもよいし、これらを併用することも可能である。
【００１６】
一般的に弾性体及びストッパは、支持具１１２と巻き取り軸１１１との間にセットされており、掲示用シート１２０は弾性体の付勢力に抗しつつ引き出す。そして、掲示用シート１２０を引き出しつつある状態では、ストッパは弾性体の付勢力を阻止している。従って、掲示用シート１２０はスムーズに引き出される。
掲示用シート１２０の引き出しを停止すると、ストッパが弾性体の付勢力を阻止した状態を維持するので、掲示用シート１２０は引き出された状態を維持する。
この状態から僅かに掲示用シート１２０を引き出すと、ストッパによる弾性体の付勢力の阻止を解除され、掲示用シート１２０は弾性体による巻き取り軸１１１の回転によって巻き取り軸１１１に自動的に巻き取られる。
【００１７】
掲示用シート１２０は、例えば、合成樹脂製の矩形状のシートであり、一端は前記巻き取り軸１１１に取り付けられている。また、掲示用シート１２０の他端は軸状の下端軸１２３が取り付けられている。この下端軸１２３は、引き出された掲示用シート１２０の重りとなってはためかないようにするためのものである。また、この下端軸１２３には、掲示用シート１２０を引き出す際の引き紐１２４が取り付けられている。
【００１８】
なお、この掲示用シート１２０の外側面１２１Ｂ、すなわち再剥離性粘着材１２２が塗布されている内側面１２１Ａとは反対の面は、再剥離性粘着材１２２に対する耐性を有することが望ましい。外側面１２１Ｂが再剥離性粘着材１２２に対して耐性を有していない、すなわち再粘着性粘着材１２２に強固に貼り付いて再剥離ができなかったり、再剥離できたとしても再剥離性粘着材１２２の粘着性を喪失するようなものであれば、巻き取られた掲示用シート１２０への再度の掲示物の掲示が困難になるためである。
【００１９】
再剥離性粘着材１２２に対する耐性を与える方法としては、掲示用シート１２０の外側面を耐性を有する素材でコーティングしたり、掲示用シート１２０自身を耐性を有する素材から構成する等が考えられる。
【００２０】
掲示用シート１２０の内側面１２１Ａには、再剥離性粘着材１２２がスポット状に塗布されている。この再剥離性粘着材１２２は、ポスター等の掲示物を押し付けると付着するが、引き剥がすと容易に剥離し、掲示物側へは付着しないものである。例えば、代表的なものとしてアクリル系粘着剤がある。
かかる再剥離性粘着材１２２が掲示用シート１２０の内側面１２１Ａにスポット状に塗布されるのは、掲示物を容易に剥離することができるようにするためである。
【００２１】
このように構成されたロールカーテン型掲示板１００は以下のようにして使用する。
まず、引き出した状態の掲示用シート１２０にポスター等の掲示物を貼り付ける。この状態で掲示が行われるが、掲示を中断する場合には、掲示用シート１２０を巻き取り軸１１１に巻き取らせることで掲示物を簡単に隠すことができる。
【００２２】
なお、掲示物を最初に掲示用シート１２０に貼り付けた際に、掲示用シート１２０を一度巻き取り軸１１１に巻き取らせると、掲示用シート１２０が巻き取られることによって、掲示物に対して均等に圧力が加わるので、掲示物をより確実に掲示用シート１２０に貼り付けることができる。
【００２３】
掲示物を掲示用シート１２０から剥がしても、掲示用シート１２０の再剥離性粘着材１２２はその粘着性を失うことはないので、多数回にわたって多くの掲示物を掲示することができる。
【００２４】
掲示用シート１２０に遮光性を有する素材を使用することにより、一般的なロールカーテンとしても使用することができる。
【００２５】
上述したロールカーテン型掲示板１００では、掲示用シート１２０は１枚ものであるとしたが、以下に述べるように複数枚（図４では３枚）のシート材１２５を剥離可能に積層し、かつ巻き取りローラ１１１に巻き取られた際に内側となる内側面１２１Ａにのみ再剥離性粘着材１２２が塗布されたものとすることも可能である。
【００２６】
図４に示すように、同形同サイズの複数枚のシート材１２５の内側面１２１Ａにのみ再剥離性粘着材１２２を塗布し、内側面１２１Ａ同士が重ならないように積層して掲示用シート１２０を構成すると、長期間の使用により掲示物の粘着性が失われたも、粘着性が失われたシート材１２５を剥がして新たなシート材１２５を露出させ、この新たなシート材１２５に掲示物を貼り付けるようにすることが可能になる。
【００２７】
また、上述した実施の形態では、再剥離性粘着材１２２はスポット状に塗布されるとしたが、これに限定されることはなく、全面塗布でも、ゼブラ状に塗布されていてもよいことはいうまでもない。
【図面の簡単な説明】
【００２８】
【図１】本発明の実施の形態に係るロールカーテン型掲示板の概略的正面図である。
【図２】本発明の実施の形態に係るロールカーテン型掲示板の概略的側面図である。
【図３】本発明の実施の形態に係るロールカーテン型掲示板の掲示用シートの概略的拡大断面図である。
【図４】本発明の他の実施の形態に係るロールカーテン型掲示板の掲示用シートの概略的拡大断面図である。
【符号の説明】
【００２９】
１００    ロールカーテン型掲示板
１１０    巻き取りローラ
１２０    掲示用シート
１２２    再剥離性粘着材
【図１】
2009192888.tif 000003
【図２】
2009192888.tif 000004
【図３】
2009192888.tif 000005
【図４】
2009192888.tif 000006